(57)【要約】【課題】  放熱ファンの動作状態を切り換え可能で、運転状況を目で確認でき、温度により回転速度が自動的に代わるコンピュータ電源装置の放熱ファン調節・表示装置の提供。【解決手段】  触発ユニット１１が使用者の制御でサージ信号を発し、サージ信号を受けて制御ユニット１２の出力端が導通すると、これに接続された切換・表示モジュール１３の切換・制御ユニット１３１，１３２，１３３が導通すると共に、その発光ダイオードＤ１，Ｄ２，Ｄ３が点灯して対外表示し、センサ分配ユニット１４のセンサ１４１は、接続された切換・表示ユニット１３１が導通すると、温度を感知して抵抗値を変化させ、放熱ファン２の回転速度を温度が上昇するほど増大させ、互いに抵抗値が異なる抵抗器１４２，１４３は、接続された切換・表示ユニット１３２，１３３が導通すると導通して、放熱ファン２を高速回転又は低速回転させる。【選択図】          図２
0003102642.tif 000002
【実用新案登録請求の範囲】
【請求項１】
触発デバイスと、制御ユニットと、切換・表示モジュールと、センサ分配ユニットとを備え、前記触発ユニットは、使用者の制御を受けてサージ信号を発し、前記制御ユニットは、前記触発デバイスに接続された入力端と、受信した前記サージ信号により個別に導通する少なくとも３つの出力端とを有し、前記切換・表示モジュールは、入力端が前記制御ユニットの各出力端に接続され、且つ、それぞれ発光ダイオードを有する少なくとも３つの切換・表示ユニットから成り、前記制御ユニットの出力端が導通すると、これに接続された切換・表示ユニットが導通すると共に、その発光ダイオードが点灯して対外表示し、前記センサ分配ユニットは、センサ及び互いに抵抗値が異なる少なくとも２つの抵抗器から成り、前記センサ及び抵抗器の一端は、互いに異なる前記切換・表示ユニットの出力端に接続されると共に、他端にはコンピュータ電源装置の放熱ファンが跨設され、前記センサは、接続された前記切換・表示ユニットが導通すると、前記放熱ファン付近の温度を感知して、感知した温度により抵抗値を変化させ、経由した帰還電圧を前記放熱ファンへ提供して、その回転速度を温度が上昇するほど増大させ、前記抵抗器は、接続された前記切換・表示ユニットが導通すると導通して、互いに異なる電圧の帰還電圧を前記放熱ファンに提供し、前記放熱電圧を高速回転又は低速回転させることを特徴としたコンピュータ電源装置の放熱ファン調節・表示装置。
【請求項２】
前記触発デバイスは、ボタンスイッチ又は薄膜スイッチより成り、使用者が押圧により作動を制御する請求項１に記載されたコンピュータ電源装置の放熱ファン調節・表示装置。
【請求項３】
前記触発デバイスは、コンピュータマザーボードに接続され、使用者がコンピュータを介して作動を制御する請求項１に記載されたコンピュータ電源装置の放熱ファン調節・表示装置。
【請求項４】
前記切換・表示モジュールの発光ダイオードが、互いに異なる色で発光する請求項１乃至３のいずれかに記載されたコンピュータ電源装置の放熱ファン調節・表示装置。
【請求項５】
前記センサは、サーミスタとツェナーダイオードとから成り、前記サーミスタは前記放熱ファン付近の温度を感知して、感知した温度により抵抗値を変化させ、該サーミスタを経由した帰還電圧が前記ツェナーダイオードを介して前記放熱ファンに提供されるコンピュータ電源装置の放熱ファン調節・表示装置。
【考案の詳細な説明】
【技術分野】
【０００１】
本考案は、温度等の変化に応じて、コンピュータ電源装置の放熱ファンの動作を切換調節すると共に、その動作状況を表示するコンピュータ電源装置の放熱ファン調節・表示装置に関する。
【背景技術】
【０００２】
図１に示すように、コンピュータ本体には電源装置が内蔵され、この電源装置を一般電源に接続して、低圧整流を経た後、システムに電力を供給するようになっている。現在主流のコンピュータシステムは、そのＣＰＵとしてＩｎｎｔｅｌ  Ｐｅｎｔｉｕｍ（登録商標）又はＡＭＤＫ７シリーズのどちらかを搭載しており、処理速度は既に２．４ＧＨｚ以上に達しているばかりか、回転速度が７２００ｒｐｍに達する光ディスク装置が組み合わされることが多い。
このようなコンピュータシステムに必要な電力を供給するために、電源装置は大きい容量及び出力を備える必要があり、コンピュータシステムが作動中に電源装置の熱量が上昇し続けるという問題が生ずる。これを解決するために、電源装置の周囲に複数の放熱ファンを設置し、その回転により発生する気流を利用して、電源装置に安定的且つ効果的に放熱を行わせている。
【０００３】
しかしながら、実際には、コンピュータシステムが常に高速運転状態にあるわけではなく、例えば、スタンバイモードにある時は、必要な出力は最大負荷時の１０分の１以下であって、電源装置の出力は小さく、当然、電源装置の内部温度も相対的に低い。
この時、放熱ファンの回転速度を低くして、運転時の高周波騒音を軽減すると同時に、電力消費を抑えることが望ましく、反対に、電源装置の出力が増大した時には、放熱ファンの回転速度を上げ、放熱量を増やす必要がある。
ところが、従来の電源装置の放熱ファンは、作動・停止の調節を行えるだけであって、コンピュータの動作状態に応じて回転速度の調節を行うことができなかった。
【考案の開示】
【考案が解決しようとする課題】
【０００４】
本考案の目的は、使用者が温度変化等に応じて放熱ファンの動作状態を切り換えることができ、放熱ファンの作動による無用な騒音及び電力消費を抑え、効率よく駆動することが可能で、しかも、放熱ファンの運転状況を目視で確認できると共に、温度変化によって放熱ファンの回転速度が自動的に切り替わるため、放熱ファンの故障等によるコンピュータへの被害を防ぎ、信頼性及び安全性が高いコンピュータ電源装置の放熱ファン調節・表示装置を提供することにある。
【課題を解決するための手段】
【０００５】
本考案のコンピュータ電源装置の放熱ファン調節・表示装置は、触発デバイスと、制御ユニットと、切換・表示モジュールと、センサ分配ユニットとを備え、前記触発ユニットは、使用者の制御を受けてサージ信号を発し、前記制御ユニットは、前記触発デバイスに接続された入力端と、受信した前記サージ信号により個別に導通する少なくとも３つの出力端とを有し、前記切換・表示モジュールは、入力端が前記制御ユニットの各出力端に接続され、且つ、それぞれ発光ダイオードを有する少なくとも３つの切換・表示ユニットから成り、前記制御ユニットの出力端が導通すると、これに接続された切換・表示ユニットが導通すると共に、その発光ダイオードが点灯して対外表示し、前記センサ分配ユニットは、センサ及び互いに抵抗値が異なる少なくとも２つの抵抗器から成り、前記センサ及び抵抗器の一端は、互いに異なる前記切換・表示ユニットの出力端に接続されると共に、他端にはコンピュータ電源装置の放熱ファンが跨設され、前記センサは、接続された前記切換・表示ユニットが導通すると、前記放熱ファン付近の温度を感知して、感知した温度により抵抗値を変化させ、経由した帰還電圧を前記放熱ファンへ提供して、その回転速度を温度が上昇するほど増大させ、前記抵抗器は、接続された前記切換・表示ユニットが導通すると導通して、互いに異なる電圧の帰還電圧を前記放熱ファンに提供し、前記放熱電圧を高速回転又は低速回転させる。
【０００６】
前記触発デバイスは、ボタンスイッチ又は薄膜スイッチより成り、使用者が押圧により作動を制御しても良い。或いは、前記触発デバイスは、コンピュータマザーボードに接続され、使用者がコンピュータを介して作動を制御しても良い。
前記切換・表示モジュールの発光ダイオード（以下、ＬＥＤ）が、互いに異なる色で発光することがある。
前記センサは、サーミスタとツェナーダイオードとから成り、前記サーミスタは前記放熱ファン付近の温度を感知して、感知した温度により抵抗値を変化させ、該サーミスタを経由した帰還電圧が前記ツェナーダイオードを介して前記放熱ファンに提供されることもある。
【考案の効果】
【０００７】
本考案によれば、使用者が温度等の条件により放熱ファンの回転速度を切り換えることができるので、スタンバイ時等には放熱ファンの回転速度を低くして騒音及び消費電力を抑えることが可能であり、しかも、必要時は、回転速度を上げて確実に放熱ファンから発生する熱を放出できる。
また、放熱ファンの運転状況を発光ダイオードの点滅によって確認することができ、さらに、放熱ファンが低速運転に調節されている時は、温度の変化に対応して自動的に放熱ファンの回転速度が切り換えられ、温度が上昇すると回転速度が上がり、温度が正常に戻ると回転速度も低速に戻るため、放熱ファンの発する熱によってコンピュータが被害を受けるのを防ぎ、信頼性及び安全性が高い。
【考案を実施するための最良の形態】
【０００８】
図２、図３及び図７に、本考案のコンピュータ電源装置の放熱ファン調節・表示装置１を示す。
放熱ファン調節・表示装置１は、電源を引き込むための入力端と、一つ以上の放熱ファン２と電気的に接続される出力端とを有し、触発デバイス１１、制御ユニット１２、切換・表示モジュール１３及びセンサ分配ユニット１４を備える。
触発デバイス１１は、ボタンスイッチ又は薄膜スイッチであって、コンピュータ装置の外面に設置され（図７）、使用者が直接押圧操作して制御できる。或いは、触発デバイス１１をコンピュータマザーボードに接続し、コンピュータを介して制御ができるようにしても良い。また、触発デバイス１１は使用者の制御を受けて対応したサージ信号を発信し、制御ユニット１２を作動させるようになっている。
【０００９】
制御ユニット１２は、触発デバイス１１に接続された入力端と、少なくとも３つの出力端を有し、触発デバイス１１が発信したサージ信号を受けると、これに対応して各出力端を定められた順序に従い個別に導通させる。
切換・表示モジュール１３は、それぞれＬＥＤＤ１，Ｄ２，Ｄ３を内蔵した少なくとも３つの切換・表示ユニット１３１，１３２，１３３を有し（図３）、切換・表示ユニット１３１，１３２，１３３の入力端はそれぞれ制御ユニット１２の出力端に接続されている。そして、制御ユニット１２の出力端が導通されると、これに接続された切換・表示ユニット１３１，１３２，１３３が対応して導通し、ＬＥＤＤ１，Ｄ２，Ｄ３が点灯する。図７に示すように、ＬＥＤＤ１，Ｄ２，Ｄ３はコンピュータの外面に設置され、点灯により対外表示を行う。
なお、ＬＥＤＤ１，Ｄ２，Ｄ３は、互いに異なる色で発光するようにしても良い。
【００１０】
センサ分配ユニット１４は、図２及び図３に示すように、センサ１４１と、少なくとも２つの抵抗器１４２，１４３とを有する。
センサ１４１は、サーミスタＴＨＲと、サーミスタＴＨＲに接続されたツェナーダイオードＺｎとを備え、その一端は切換・表示ユニット１３１に接続され、他端には放熱ファン２が跨設される。
サーミスタＴＨＲは、切換・表示ユニット１３１の駆動制御を受けて作動し、放熱ファン２付近の温度を感知して、感知した温度により抵抗値を変化させる。サーミスタＴＨＲを経由した帰還電圧は、ツェナーダイオードＺｎを介して放熱ファン２へ提供され、放熱ファン２の回転速度を自動的に変化させる。
即ち、図４に示すように、感知した温度が上昇すると、サーミスタＴＨＲの抵抗値が低下し、図５に示すように、放熱ファン２の回転速度が増大する。
【００１１】
抵抗器１４２，１４３は互いに抵抗値が異なり、抵抗器１４２の一端は切換・表示ユニット１３２に接続され、抵抗器１４３の一端は切換・表示ユニット１３３に接続される。また、抵抗器１４２，１４３の他端には放熱ファン２が跨設される。
切換・表示ユニット１３２，１３３は制御ユニット１２の制御を受けて個別に導通され、この結果、電流が抵抗器１４２又は抵抗器１４３を経由して異なる電圧低下を発生し、各抵抗器１４２，１４３の両端に跨設された放熱ファン２の端子電圧を変化させる。これにより、図６に示すように、放熱ファン２を高速回転或いは低速回転させる。
【００１２】
使用者が触発デバイス１１を制御して高速回転に調節すると、触発デバイス１１からのサージ信号を受けて作動した制御ユニット１２により、切換・表示ユニット１３２及びこれに接続された抵抗器１４２が導通され、放熱ファン２が高速回転する。同時に、切換・表示ユニット１３２のＬＥＤＤ２が点灯して、高速運転中であることを表示する。
一方、使用者が触発デバイス１１を制御して低速回転に調節し、触発デバイス１１から発信されたサージ信号を受けて作動した制御ユニット１２により、切換・表示ユニット１３３及びこれに接続された抵抗器１４３を導通させると、放熱ファン２が一定温度（例えば、２５℃）以下で低速回転するように設定することにより、常温時における作動中の騒音が減少する。同時に、切換・表示ユニット１３３のＬＥＤＤ３が点灯して、低速運転中であることを表示する。
【００１３】
環境温度の上昇や集積回路の作業量の増加により温度が急上昇すると、サーミスタＴＨＲがその温度を感知し、感知した温度が設定温度を超え、且つ、放熱ファン２が低速回転に設定されていると、制御ユニット１２が作動して切換・表示ユニット１３１が同時に作動し、放熱ファン２の回転速度が自動的に変化する。この時、切換・表示ユニット１３１のＬＥＤＤ１が点灯して、自動調節運転であることを表示する。
制御ユニット１２が切換・表示ユニット１３１を作動させるとき、センサ１４１は抵抗器１４３と並列して作動することになるため、電圧が若干低下し、放熱ファン２の回転速度は、センサ１４１が単独で自動調節を行う場合の回転速度に比べてやや低くなる。
【００１４】
また、サーミスタＴＨＲの感知した温度が低速回転の設定値まで戻ると、制御ユニット１２が切換・表示ユニット１３１の作動を停止させ、切換・表示ユニット１３３が作動して放熱ファン２の低速運転を継続する。
従って、放熱ファン２の運転による騒音及び消費電力を最小限に抑えることができると共に、放熱ファン２から発生する熱を確実に放出でき、コンピュータを保護することが可能である。
【図面の簡単な説明】
【００１５】
【図１】従来のコンピュータ装置の分解斜視図。
【図２】本考案の実施例を示すコンピュータ電源装置の放熱ファン調節・表示装置の模式図。
【図３】本考案の実施例を示すコンピュータ電源装置の放熱ファン調節・表示装置の回路図。
【図４】センサのサーミスタ抵抗値と温度変化との関係を示す図。
【図５】センサが自動温度制御を行うときの温度と回転速度との関係を示す図。
【図６】放熱ファンの温度電圧と回転速度との関係を示す図。
【図７】本考案の実施例を示すコンピュータ電源装置の放熱ファン調節・表示装置の斜視図。
【符号の説明】
【００１６】
１  放熱ファン調節・表示装置
１１  触発デバイス
１２  制御ユニット
１３  切換・表示モジュール
１３１，１３２，１３３  切換・表示ユニット
１４  センサ分配ユニット
１４１  センサ
１４２，１４３  抵抗器
２  放熱ファン
Ｄ１，Ｄ２，Ｄ３  発光ダイオード（ＬＥＤ）
ＴＨＲ  サーミスタ
Ｚｎ  ツェナーダイオード
【図１】
0003102642.tif 000003
【図２】
0003102642.tif 000004
【図３】
0003102642.tif 000005
【図４】
0003102642.tif 000006
【図５】
0003102642.tif 000007
【図６】
0003102642.tif 000008
【図７】
0003102642.tif 000009
【手続補正書】
【提出日】平成16年3月1日(2004.3.1)
【手続補正１】
【補正対象書類名】実用新案登録請求の範囲
【補正対象項目名】全文
【補正方法】変更
【補正の内容】
【実用新案登録請求の範囲】
【請求項１】
触発デバイスと、制御ユニットと、切換・表示モジュールと、センサ分配ユニットとを備え、前記触発ユニットは、使用者の制御を受けてサージ信号を発し、前記制御ユニットは、前記触発デバイスに接続された入力端と、受信した前記サージ信号により個別に導通する少なくとも３つの出力端とを有し、前記切換・表示モジュールは、入力端が前記制御ユニットの各出力端に接続され、且つ、それぞれ発光ダイオードを有する少なくとも３つの切換・表示ユニットから成り、前記制御ユニットの出力端が導通すると、これに接続された切換・表示ユニットが導通すると共に、その発光ダイオードが点灯して対外表示し、前記センサ分配ユニットは、センサ及び互いに抵抗値が異なる少なくとも２つの抵抗器から成り、前記センサ及び抵抗器の一端は、互いに異なる前記切換・表示ユニットの出力端に接続されると共に、他端にはコンピュータ電源装置の放熱ファンが跨設され、前記センサは、接続された前記切換・表示ユニットが導通すると、前記放熱ファン付近の温度を感知して、感知した温度により抵抗値を変化させ、経由した帰還電圧を前記放熱ファンへ提供して、その回転速度を温度が上昇するほど増大させ、前記抵抗器は、接続された前記切換・表示ユニットが導通すると導通して、互いに異なる電圧の帰還電圧を前記放熱ファンに提供し、前記放熱電圧を高速回転又は低速回転させることを特徴としたコンピュータ電源装置の放熱ファン調節・表示装置。
【請求項２】
前記触発デバイスは、ボタンスイッチ又は薄膜スイッチより成り、使用者が押圧により作動を制御する請求項１に記載されたコンピュータ電源装置の放熱ファン調節・表示装置。
【請求項３】
前記触発デバイスは、コンピュータマザーボードに接続され、使用者がコンピュータを介して作動を制御する請求項１に記載されたコンピュータ電源装置の放熱ファン調節・表示装置。
【請求項４】
前記切換・表示モジュールの発光ダイオードが、互いに異なる色で発光する請求項１乃至３のいずれかに記載されたコンピュータ電源装置の放熱ファン調節・表示装置。
【請求項５】
前記センサは、サーミスタとツェナーダイオードとから成り、前記サーミスタは前記放熱ファン付近の温度を感知して、感知した温度により抵抗値を変化させ、該サーミスタを経由した帰還電圧が前記ツェナーダイオードを介して前記放熱ファンに提供される請求項１乃至４のいずれかに記載されたコンピュータ電源装置の放熱ファン調節・表示装置。